(57)【要約】【課題】高さの異なる容器を安定して保持でき、かつ、設置に多くのスペースを要しないカップホルダーを提供すること。【解決手段】少なくとも１つの収納孔を備えるカップホルダーベースと、前記カップホルダーベースの収納孔に固定された固定カップホルダーと、前記固定カップホルダーを移動可能に覆い、前記固定カップホルダーの周りを回転して昇降可能な可動カップホルダーを有し、前記可動カップホルダーが上昇および下降をすることで、前記可動カップホルダーの内部空洞および前記固定カップホルダーの内部空洞が協働して、高さの異なる容器を載置するための容器載置孔を形成することを特徴とする深さ調節が可能なカップホルダー。【選択図】図１３
2016508918.tif 000002
【特許請求の範囲】
【請求項１】
少なくとも１つの収納孔を備えるカップホルダーベースと、
前記カップホルダーベースの収納孔に固定された固定カップホルダーと、
前記固定カップホルダーを移動可能に覆い、前記固定カップホルダーの周りを回転して昇降可能な可動カップホルダーを有し、
前記可動カップホルダーが昇降することで、前記可動カップホルダーの内部空洞および前記固定カップホルダーの内部空洞が協働して、高さの異なる容器を載置するための容器載置孔を形成することを特徴とする深さ調節が可能なカップホルダー。
【請求項２】
前記固定カップホルダーおよび前記可動カップホルダーはいずれもカップ壁を備え、前記可動カップホルダーのカップ壁は、前記収納孔のカップ壁と前記固定カップホルダーのカップ壁の間に挿入され、
前記固定カップホルダーのカップ壁の外面には、少なくとも１つの昇降螺旋突条が設置され、
前記可動カップホルダーのカップ壁の内面には、前記昇降螺旋突条を垂直に挟持し、前記昇降螺旋突条と協働して前記可動カップホルダーを昇降駆動する少なくとも一対のガイドブロックが設置され、
前記可動カップホルダーが前記固定カップホルダーの周りを回転するとき、前記一対のガイドブロックが前記昇降螺旋突条によって形成された軌道に沿ってスライドし、前記可動カップホルダーを昇降駆動させ、
前記一対のガイドブロックは、上部ガイドブロックおよび下部ガイドブロックを備えることを特徴とする請求項１に記載の深さ調節が可能なカップホルダー。
【請求項３】
前記上部ガイドブロックおよび下部ガイドブロックは、水平投影面および垂直投影面において相互にずらして配設されており、前記昇降螺旋突条は、前記上部ガイドブロックと下部ガイドブロックの間を通過することを特徴とする請求項２に記載の深さ調節が可能なカップホルダー。
【請求項４】
前記昇降螺旋突条の上端部は、前記固定カップホルダーの開口部で終結し、前記昇降螺旋突条の下端部は、前記固定カップホルダーの底部で終結することを特徴とする請求項３に記載の深さ調節が可能なカップホルダー。
【請求項５】
前記固定カップホルダーの開口部の周縁には、前記固定カップホルダーの外径よりも大きな直径を有する第１カップ縁が設置され、
前記昇降螺旋突条の上端部は、前記第１カップ縁に平行な第１直線突条部であり、
前記第１直線突条部と前記昇降螺旋突条の螺旋部の間には、円滑移行接続部が備えられ、
前記第１直線突条部の幅寸法は、前記昇降螺旋突条の螺旋部の幅寸法および前記垂直投影面における前記上部および下部ガイドブロック間の垂直方向の間隔よりも小さく、
前記第１直線突条部と前記第１カップ縁の間に上部止めブロックが配設され、
前記第１カップ縁と、前記第１直線突条部のうち前記上部止めブロックから前記第１直線突条部と前記昇降螺旋突条の螺旋部の間の前記移行接続部までの部分との間には、前記上部ガイドブロックを挿入するための自動係止溝が形成され、
前記可動カップホルダーが最高位置まで上昇したときに、前記上部ガイドブロックが前記自動係止溝に挿入されることで、前記可動カップホルダーが自動係止されることを特徴とする請求項３に記載の深さ調節が可能なカップホルダー。
【請求項６】
前記第１直線突条部と前記昇降螺旋突条の螺旋部の間の前記移行接続部における前記固定カップホルダーのカップ壁には突起が設置され、前記可動カップホルダーが最高位置まで上昇した際に、前記上部ガイドブロックが前記突起を乗り越えて前記自動係止溝に入り込むことで、前記可動カップホルダーが自動係止されることを特徴とする請求項５に記載の深さ調節が可能なカップホルダー。
【請求項７】
前記昇降螺旋突条の下端部は、前記固定カップホルダーのカップ底と垂直な前記第２直線突条部であり、前記第２直線突条部の高さ寸法は、前記下部ガイドブロックの幅寸法よりもわずかに大きいことを特徴とする請求項５に記載の深さ調節が可能なカップホルダー。
【請求項８】
前記可動カップホルダーの開口部には第２カップ縁が配設され、前記第２カップ縁の外面には摩擦条片が配設されることを特徴とする請求項１に記載の深さ調節が可能なカップホルダー。
【請求項９】
前記可動カップホルダーの開口部には第２カップ縁が配設され、前記第２カップ縁の外面には指を載置するための凹みが配設されることを特徴とする請求項１に記載の深さ調節が可能なカップホルダー。
【請求項１０】
前記固定カップホルダーのカップ底には少なくとも１つのフックが配設され、前記カップホルダーベースの収納孔の底部の各フックに対応する位置には切欠きが配設され、前記フックと前記切欠きが係合することで、前記固定カップホルダーが前記カップホルダーベースの収納孔に固定されることを特徴とする請求項１に記載の深さ調節が可能なカップホルダー。
【請求項１１】
前記カップホルダーベースの上面の周縁には上方突出保護フランジが配設され、前記可動カップホルダーが最低位置まで下降すると、前記可動カップホルダーの上面は前記保護フランジの最上面と同じ高さあるいはそれよりも低くなることを特徴とする請求項１に記載の深さ調節が可能なカップホルダー。
【請求項１２】
前記固定カップホルダーおよび前記可動カップホルダーはいずれもカップ壁を備え、
前記可動カップホルダーのカップ壁の内面には、少なくとも１つの昇降螺旋突条が設置され、
前記固定カップホルダーのカップ壁の外面には、前記昇降螺旋突条を垂直に挟持し、前記昇降螺旋突条と協働して前記可動カップホルダーを昇降駆動する少なくとも一対のガイドブロックが設置され、
前記可動カップホルダーが前記固定カップホルダーの周りを回転するとき、前記一対のガイドブロックは前記昇降螺旋突条によって形成された軌道に沿ってスライドし、前記可動カップホルダーを上昇および下降するように昇降駆動し、
前記一対のガイドブロックは、上部ガイドブロックおよび下部ガイドブロックを備えることを特徴とする請求項１に記載の深さ調節が可能なカップホルダー。
【請求項１３】
前記カップホルダーベースの収納孔と前記固定カップホルダーは一体となり、前記収納孔の孔壁は、前記固定カップホルダーのカップ壁の内面として機能し、前記可動カップホルダーは、前記収納孔に直接収納され、前記収納孔の中央の周りを回転しながら、上昇および下降し、前記可動カップホルダーの内部空洞および前記収納孔の内部空洞は協働して、高さの異なる容器を載置するための容器載置孔を形成することを特徴とする請求項１に記載の深さ調節が可能なカップホルダー。
【請求項１４】
前記収納孔の孔壁の内面には、少なくとも１つの昇降螺旋突条が設置され、
前記可動カップホルダーのカップ壁の内面には、前記昇降螺旋突条を垂直に挟持し、前記昇降螺旋突条と協働して前記可動カップホルダーを昇降駆動する少なくとも一対のガイドブロックが設置され、
前記可動カップホルダーが前記収納孔の中央の周りを回転するとき、前記一対のガイドブロックは前記昇降螺旋突条によって形成された軌道に沿ってスライドし、前記可動カップホルダーを上昇および下降するように昇降駆動し、
前記一対のガイドブロックは、上部ガイドブロックおよび下部ガイドブロックを備えることを特徴とする請求項１３に記載の深さ調節が可能なカップホルダー。
【発明の詳細な説明】
【技術分野】
【０００１】
本発明は、自動車のカップホルダー、特に、深さ調節が可能なカップホルダーに関する。
【０００２】
現在、自動車においてカップホルダー装置は不可欠な要素となっている。最近では、多種多様な自動車用カップホルダーが存在し、また、それらは様々な条件を満足するように設計されている。しかしながら、自動車の内装スペースには限界があり、あらゆる高さのカップやボトルを載置できるわけではない。カップホルダーの深さが、飲料缶やこれと同程度の高さを有するカップを載置するために設計されていると仮定すると、ミネラルウォーターのボトルやこれと同程度の高さを有する容器を上記カップホルダーに載置する場合、ミネラルウォーターのボトルは重心が高いため、安定して保持できない。そのため、自動車が加速したり、急ブレーキをかけたり、凹突路面を走行する場合、ミネラルウォーターのボトルは容易にカップホルダーから落下する。一方、カップホルダーをミネラルウォーターのボトルの高さに合わせて設計すると、背の低い容器の収納および取り出しが困難になり、また、そのような高さのカップホルダーを設置するための内装スペースを確保できない場合が多い。
【０００３】
中国特許第２０２５５７３７４号には、カップホルダーハウジングと、カップホルダーハウジングに設けられた載置孔と、載置孔の内部に備えられたカップホルダーとを有する調節可能な自動車用カップホルダー装置が開示されている。上記装置において、カップホルダーは可動構造を有し、カップの下方には載置孔の深さ調節機構が設けられ、カップホルダーハウジングは位置固定機構を備える。載置孔深さ調節機構によりカップホルダーの位置高さを調節し、位置固定機構によりカップホルダーの位置を固定することで、載置孔の深さを調節することができる。上記特許発明は、高さの異なる容器を収納するという課題を解決することはできるが、カップホルダーハウジングが背の高い容器の高さに合わせて設計されているため、設置には十分な内装スペースを必要とする。例えば、上記特許発明に係る調節可能カップホルダー装置は、後部座席のアームレストには設置することができない。
【発明の概要】
【発明が解決しようとする課題】
【０００４】
本発明が解決する技術的課題は、従来の自動車用カップホルダーが抱える上述の課題を解決するとともに、折り畳まれた後に占有するスペースが小さく、後部座席のアームレストなどの薄狭な内装部品にも設置することができる深さ調節が可能なカップホルダーを提供することである。
【課題を解決するための手段】
【０００５】
本発明の技術的課題は、下記の技術的特徴により解決される。
【０００６】
本発明に係る深さ調節が可能なカップホルダーは、少なくとも１つの収納孔を備えるカップホルダーベースと、カップホルダーベースの収納孔に固定された固定カップホルダーと、固定カップホルダーを移動可能に覆い、固定カップホルダーの周りを回転して昇降可能な可動カップホルダーを有し、可動カップホルダーが昇降することで、可動カップホルダーの内部空洞および固定カップホルダーの内部空洞が協働して、高さの異なる容器を載置するための容器載置孔を形成することを特徴とする。
【０００７】
本発明の好ましい実施形態において、固定カップホルダーおよび可動カップホルダーはいずれもカップ壁を備え、可動カップホルダーのカップ壁は、収納孔のカップ壁と固定カップホルダーのカップ壁の間に挿入され、固定カップホルダーのカップ壁の外面には、少なくとも１つの昇降螺旋突条が設置され、可動カップホルダーのカップ壁の内面には、昇降螺旋突条を垂直に挟持し、昇降螺旋突条と協働して可動カップホルダーを昇降駆動する少なくとも一対のガイドブロックが設置され、可動カップホルダーが固定カップホルダーの周りを回転するとき、一対のガイドブロックは昇降螺旋突条によって形成された軌道に沿ってスライドして可動カップホルダーを昇降駆動し、一対のガイドブロックは、上部ガイドブロックおよび下部ガイドブロックを備える。
【０００８】
本発明の好ましい実施形態において、上部ガイドブロックおよび下部ガイドブロックは、水平投影面および垂直投影面において相互にずらして配設されており、昇降螺旋突条は、上部ガイドブロックと下部ガイドブロックの間を通過する。
【０００９】
本発明の好ましい実施形態において、昇降螺旋突条の上端部は、固定カップホルダーの開口部で終結し、昇降螺旋突条の下端部は、固定カップホルダーの底部で終結する。
【００１０】
本発明の好ましい実施形態において、固定カップホルダーの開口部の周縁には、固定カップホルダーの外径よりも大きな直径を有する第１カップ縁が設置され、昇降螺旋突条の上端部は、第１カップ縁に平行な第１直線突条部であり、第１直線突条部と昇降螺旋突条の螺旋部の間には、円滑移行接続部が備えられ、第１直線突条部の幅寸法は、昇降螺旋突条の螺旋部の幅寸法および垂直投影面における上部および下部ガイドブロック間の垂直方向の間隔よりも小さく、第１直線突条部と第１カップ縁の間に上部止めブロックが配設され、第１カップ縁と、第１直線突条部のうち、上部止めブロックから第１直線突条部と昇降螺旋突条の螺旋部の間の移行接続部までの部分との間には、上部ガイドブロックを挿入するための自動係止溝が形成され、可動カップホルダーが最高位置まで上昇すると、上部ガイドブロックが自動係止溝に挿入され、可動カップホルダーが自動係止される。
【００１１】
本発明の好ましい実施形態において、第１直線突条部と昇降螺旋突条の螺旋部の間の移行接続部における固定カップホルダーのカップ壁には突起が設置され、可動カップホルダーが最高位置まで上昇した際に、上部ガイドブロックが突起を乗り越えて自動係止溝に入り込むことで、可動カップホルダーが自動係止される。
【００１２】
本発明の好ましい実施形態において、昇降螺旋突条の下端部は、固定カップホルダーのカップ底と垂直な第２直線突条部であり、第２直線突条部の高さ寸法は、下部ガイドブロックの幅寸法よりもわずかに大きい。
【００１３】
本発明の好ましい実施形態において、可動カップホルダーの開口部には第２カップ縁が配設され、第２カップ縁の外面には摩擦条片が配設される。
【００１４】
本発明の好ましい実施形態において、可動カップホルダーの開口部には第２カップ縁が配設され、第２カップ縁の外面には指を載置するための凹みが配設される。
【００１５】
本発明の好ましい実施形態において、固定カップホルダーのカップ底には少なくとも１つのフックが配設され、カップホルダーベースの収納孔の底部の各フックに対応する位置には切欠きが配設され、フックと切欠きが係合することで、固定カップホルダーがカップホルダーベースの収納孔に固定される。
【００１６】
本発明の好ましい実施形態において、カップホルダーベースの上面の周縁には上方突出保護フランジが配設され、可動カップホルダーが最低位置まで下降すると、可動カップホルダーの上面は保護フランジの最上面と同じ高さあるいはそれよりも低くなる。
【００１７】
本発明は、以下の技術的解決策を採用してもよい。
【００１８】
第１の技術的解決策において、固定カップホルダーおよび可動カップホルダーはいずれもカップ壁を備え、可動カップホルダーのカップ壁の内面には、少なくとも１つの昇降螺旋突条が設置され、固定カップホルダーのカップ壁の外面には、昇降螺旋突条を垂直に挟持し、昇降螺旋突条と協働して可動カップホルダーを昇降駆動する少なくとも一対のガイドブロックが設置され、可動カップホルダーが固定カップホルダーの周りを回転するとき、一対のガイドブロックは昇降螺旋突条によって形成された軌道に沿ってスライドして可動カップホルダーを昇降駆動し、一対のガイドブロックは、上部ガイドブロックおよび下部ガイドブロックを備える。
【００１９】
第２の技術的解決策において、カップホルダーベースの収納孔と固定カップホルダーは一体となり、収納孔の孔壁は、固定カップホルダーのカップ壁の内面として機能し、可動カップホルダーは、収納孔に直接収納され、収納孔の中央の周りを回転しながら上昇および下降し、可動カップホルダーの内部空洞および収納孔の内部空洞は協働して、高さの異なる容器を載置するための容器載置孔を形成する。
【００２０】
収納孔の孔壁の内面には、少なくとも１つの昇降螺旋突条が設置され、可動カップホルダーのカップ壁の内面には、昇降螺旋突条を垂直に挟持し、昇降螺旋突条と協働して可動カップホルダーを昇降駆動する少なくとも一対のガイドブロックが設置され、可動カップホルダーが収納孔の中央の周りを回転するとき、一対のガイドブロックは昇降螺旋突条によって形成された軌道に沿ってスライドして可動カップホルダーを昇降駆動し、一対のガイドブロックは、上部ガイドブロックおよび下部ガイドブロックを備える。
【００２１】
上述の技術的解決策により、本発明の可動カップホルダーが固定カップホルダーの周りを回転する際、固定カップホルダーの昇降螺旋突条により昇降することで、可動カップホルダーの内部空洞および固定カップホルダーの内部空洞により協働して形成される容器載置孔の深さを調節することができる。そのため、高さの異なる容器をカップホルダーに載置すると、自動車が加速したり、急ブレーキをかけたり、凹突路面を走行する場合に容器が容易に落下するという問題を解決することができる。また、可動カップホルダーを最低位置まで下降させると、可動カップホルダーと固定カップホルダーを完全に重畳させることができる。したがって、カップホルダー全体の高さを低くすることができるため、自動車の後部座席のアームレストなどの薄狭内装部品への設置が可能となり、自動車の内装スペースを節約することができる。
【図面の簡単な説明】
【００２２】
【図１】図１は、本発明の一実施形態に係る深さ調節が可能なカップホルダーの、可動カップホルダーが上昇する前の状態を示した概略図である。
【図２】図２は、図１に示す深さ調節が可能なカップホルダーの一部の部品の概略分解図である。
【図３】図３は、クロムめっき装飾リングを除去した状態における、図１に示す深さ調節が可能なカップホルダーの一部の概略分解図である。
【図４】図４は、図１に示す深さ調節が可能なカップホルダーの平面図である。
【図５】図５は、図４のＡ−Ａ断面図である。
【図６】図６は、図１に示す深さ調節が可能なカップホルダーの、可動カップホルダーが上昇する前の状態を示した組立透視図である。
【図７】図７は、図１に示す深さ調節が可能なカップホルダーの、可動カップホルダーが上昇する前の状態を示した部分組立断面図である。
【図８】図８は、図１に示す深さ調節が可能なカップホルダーの可動カップホルダーの概略構造図である。
【図９】図９は、図８の平面図である。
【図１０】図１０は、図１に示す深さ調節が可能なカップホルダーの固定カップホルダーの概略構造図である。
【図１１】図１１は、図１に示す深さ調節が可能なカップホルダーの、２つの可動カップホルダーが最高位置に上昇した後の状態を示した３次元概略図である。
【図１２】図１２は、図１１の平面図である。
【図１３】図１３は、図１２のＢ−Ｂ断面図である。
【図１４】図１４は、図１に示す深さ調節が可能なカップホルダーの、最高位置に上昇した可動カップホルダーと固定カップホルダーの位置関係を示した概略図である。
【図１５】図１５は、図１に示す深さ調節が可能なカップホルダーの、最高位置に上昇した可動カップホルダーと固定カップホルダーの位置関係を示した断面図である。
【図１６】図１６は、図１に示す深さ調節が可能なカップホルダーの、カップホルダーベースの平面図である。
【図１７】図１７は、本発明の一実施形態に係る深さ調節が可能なカップホルダーのカップホルダーベースの、可動カップホルダーが上昇する前の状態を示した概略図である。
【図１８】図１８は、図１７に示す深さ調節が可能なカップホルダーの一部の部品の概略分解図である。
【発明を実施するための形態】
【００２３】
本発明は、添付の図面および以下の実施形態によりさらに詳細に説明される。
【００２４】
図１〜図１６は、本発明に係る深さ調節が可能なカップホルダーの１つの実施形態を示す。本発明に係る深さ調節が可能なカップホルダーは、対称的に配置された２つの収納孔１１０を備えるカップホルダーベース１００を有する。なお、収納孔１１０は１つのみであってもよい。
【００２５】
各収納孔１１０には、固定カップホルダー２００と可動カップホルダー３００が配置される。固定カップホルダー２００は、カップホルダーベース１００の収納孔１１０に固定され、可動カップホルダー３００は、固定カップホルダー２００を覆い、固定カップホルダー２００の周りを回転して上昇および下降することができる。可動カップホルダー３００が上昇および下降することで、可動カップホルダー３００の内部空洞３１０および固定カップホルダー２００の内部空洞２１０が協働して、高さの異なる容器を載置するための容器載置孔４００を形成する。
【００２６】
固定カップホルダー２００の開口部には、装飾的効果を付与するため、図２に示すように、クロムめっき装飾リング５００が配置されてもよい。なお、図３に示すように、固定カップホルダー２００の開口部には、クロムめっき装飾リングが配置されなくてもよい。
【００２７】
さらに図１〜図１６を参照すると、固定カップホルダー２００は、円筒状のカップ壁２２０とカップ底２３０を備え、可動カップホルダー３００は、円筒状のカップ壁３２０を備える。
【００２８】
固定カップホルダー２００をカップホルダーベース１００の収納孔１１０に固定することを容易にするために、固定カップホルダー２００のカップ底２３０の底面には、３つのフック２４０が均等に配設されている。なお、フック２４０は、１つ、２つ、あるいは、４つ以上配設されていてもよい。カップホルダーベース１００の収納孔１１０の底部には、各フック２４０に対応した切欠き１２０が配設され、３つのフック２４０には３つのフック２４０が対応する。固定カップホルダー２００を可動カップホルダー３００で覆い、収納孔１１０に設置した後、３つのフック２４０を対応する切欠き１２０に挿通し、カップホルダーベース１００の底面と係合することで、固定カップホルダー２００が収納孔１１０に固定される。なお、固定カップホルダー２００は他の周知の方法により固定されてもよい。
【００２９】
固定カップホルダー２００が固定された後、可動カップホルダー３００のカップ壁は、収納孔１１０の孔壁と固定カップホルダー２００のカップ壁２２０の間に介挿される。可動カップホルダー３００が固定カップホルダー２００の周りを回転しながら上昇および下降できるようにするために、１つの実施形態では、固定カップホルダー２００のカップ壁２２０の外面に、３つの昇降螺旋突条２５０が均等に配設されている。なお、昇降螺旋突条２５０は、１つ、２つ、あるいは、必要に応じて４つ以上配設されていてもよい。また、各昇降螺旋突条２５０に対応して、昇降螺旋突条２５０を垂直方向に挟持し、昇降螺旋突条２５０と協働して可動カップホルダー３００を駆動して昇降させる１対の上部および下部ガイドブロック３３０、３４０が、可動カップホルダー３００のカップ壁３２０の内面に配設されている。本実施形態では、３つの昇降螺旋突条２５０が固定カップホルダー２００のカップ壁２２０の外面に均等に配設されているため、３対の上部および下部ガイドブロック３３０、３４０が可動カップホルダー３００のカップ壁３２０の内面に均等に配設されている。
【００３０】
上部および下部ガイドブロック３３０、３４０は、水平投影面および垂直投影面において相互にずらして配設されており、昇降螺旋突条２５０は、上部および下部ガイドブロック３３０、３４０の間を通過する。可動カップホルダー３００が固定カップホルダー２００の周りを回転するとき、一対の上部および下部ガイドブロック３３０、３４０が昇降螺旋突条２５０によって形成された軌道に沿ってスライドし、可動カップホルダー３００を昇降駆動する。
【００３１】
可動カップホルダー３００の回転角度および２つの昇降端位置を制限するために、昇降螺旋突条２５０の上端部は、固定カップホルダー２００の開口部で終結し、昇降螺旋突条２５０の下端部は、固定カップホルダー２００の底部で終結する。
【００３２】
可動カップホルダー３００の回転角度および２つの昇降端位置を制限するための好ましい実施形態では、固定カップホルダー２００の開口部の周縁に、固定カップホルダー２００の外径よりも大きな直径を有するカップ縁２６０が設置され、昇降螺旋突条２５０の上端部は、カップ縁２６０に平行な直線突条部２５１であり、直線突条部２５１と昇降螺旋突条２５０の螺旋部２５２の間には、円滑移行接続部が備えられ、直線突条部２５１の幅寸法は、昇降螺旋突条２５０の螺旋部２５２の幅寸法および垂直投影面における上部および下部ガイドブロック３３０、３４０間の垂直方向の間隔よりも小さい（図８および図１０を参照）。
【００３３】
直線突条部２５１とカップ縁２６０の間に上部止めブロック２７０が配設され、カップ縁２６０と、直線突条部２５１のうち上部止めブロック２７０から直線突条部２５１と昇降螺旋突条２５０の螺旋部２５２の間の前記移行接続部までの部分との間には、上部ガイドブロック３３０を挿入するための自動係止溝２８０が形成される。直線突条部２５１の長さは、自動係止溝２８０の長さ寸法ｅよりも大きく（図１０を参照）、自動係止溝２８０の長さ寸法ｅは、上部ガイドブロック３３０の長さ寸法よりも大きく、自動係止溝２８０の幅寸法ｆは、上部ガイドブロック３３０の幅寸法ｃよりも大きい。また、直線突条部２５１と昇降螺旋突条２５０の螺旋部２５２の間の移行接続部におけるカップ壁２２０には突起２９０が設置され、可動カップホルダー３００が最高位置まで上昇した際に、上部ガイドブロック３３０が突起２９０を乗り越えて自動係止溝２８０に入り込むことで、可動カップホルダー３００が自動係止される。可動カップホルダー３００を下降させる場合は、可動カップホルダー３００を逆方向に回転し、上部ガイドブロック３３０が突起２９０を乗り越えることで係止が解除される。
【００３４】
さらに、昇降螺旋突条２５０の下端部は、固定カップホルダー２００のカップ底２３０と垂直な直線突条部２５３であり、直線突条部２５３の高さ寸法は、下部ガイドブロック３４０の幅寸法よりもわずかに大きく、直線突条部２５３の幅寸法は、垂直投影面における上部および下部ガイドブロック３３０、３４０間の水平方向の間隔ｂよりも小さい（図８を参照）。これにより、可動カップホルダー３００が最低位置まで回転すると、下部ガイドブロック３４０が直線突条部２５３により制止され、さらなる回転および下降が制限される。
【００３５】
可動カップホルダー３００を指で回転させるのを容易にするために、可動カップホルダー３００の開口部には、カップ縁３５０が配設され、カップ縁３５０の外面には、指を載置するための複数の凹み３５１が均等に配設されるか、あるいは摩擦条片が配設される。
【００３６】
上述の実施形態に係る深さ調節が可能なカップホルダーに対し、さらに以下の改良を施してもよい。すなわち、図１７および図１８を参照すると、カップホルダーベース１００の上面の周縁には上方突出保護フランジ１３０が配設され、可動カップホルダー３００が最低位置まで下降すると、可動カップホルダー３００の上面は保護フランジ１３０の最上面と同じ高さ、あるいはそれよりも低くなる。
【００３７】
上述の実施形態に係る深さ調節が可能なカップホルダーの動作モードは、次のとおりである。可動カップホルダー３００が回転し、可動カップホルダー３００の上部および下部ガイドブロック３３０、３４０が固定カップホルダー２００の昇降螺旋突条２５０の軌道に沿って移動することで、可動カップホルダー３００は回転しながら上昇する。可動カップホルダー３００が最高位置に到達すると、上部ガイドブロック３３０が突起２９０を乗り越えて自動係止溝２８０に入り込むことで、可動カップホルダー３００が係止される。このとき、可動カップホルダー３００は最高位置にあるため、容器収納孔４００は深さが最大となる。可動カップホルダー３００が上昇するとき、固定カップホルダー２００の昇降螺旋突条２５０の軌道が常に可動カップホルダー２００の上部および下部ガイドブロック３３０、３４０の間にあることで、位置制限効果がもたらされる。
【００３８】
以上のように、本発明は、高さの異なる容器を載置するのに適し、自動車の走行中に容器をより安定して保持することができる深さ調節が可能な自動車用カップホルダーを提供する。本発明に係るカップホルダーは、後部座席のアームレストが薄く形成されているなど、十分なスペースがない場合でも設置が可能であり、また、カップホルダーの高さを調節することで必要な把持深さを満足することができるため、容器をカップホルダー内に安定して保持できる。したがって、高さの異なる容器をカップホルダーに載置すると、自動車が加速したり、急ブレーキをかけたり、凹突路面を走行する際に容器が容易に落下するという問題を効果的に解決することができる。
【００３９】
本発明に係る深さ調節が可能なカップホルダーは、以下の２つの技術的解決策を採用してもよい。
【００４０】
１． 可動カップホルダー３００のカップ壁３２０の内面に昇降螺旋突条２５０が設置され、固定カップホルダー２００のカップ壁２２０の外面に位置高さを調節可能な上部および下部ガイドブロック３３０、３４０が設置され、可動カップホルダー３００が固定カップホルダー２００の周りを回転するとき、一対の上部および下部ガイドブロック３３０、３４０は昇降螺旋突条２５０によって形成された軌道に沿ってスライドし、可動カップホルダー３００を昇降駆動させる。
【００４１】
２．カップホルダーベース１００の収納孔１１０と固定カップホルダー２００は一体となり、すなわち、固定カップホルダー２００は省略され  収納孔１１０の孔壁が固定カップホルダー２００のカップ壁２２０の内面として機能し、可動カップホルダー３００は収納孔１１０に直接収納され、カップホルダーベース１００の収納孔１１０の孔壁の内面に昇降螺旋突条２５０が設置され、可動カップホルダー３００のカップ壁３２０の外面に上部および下部ガイドブロック３３０、３４０が設置される。可動カップホルダー３００がカップホルダーベース１００の収納孔１１０の周りを回転するとき、一対の上部および下部ガイドブロック３３０、３４０は昇降螺旋突条２５０によって形成された軌道に沿ってスライドし、可動カップホルダー３００を昇降駆動する。このようにして、可動カップホルダー３００の内部空洞３１０および収納孔１１０の内部空洞が協働して、高さの異なる容器を載置するための容器載置孔４００が形成される。
【図１】
2016508918.tif 000003
【図２】
2016508918.tif 000004
【図３】
2016508918.tif 000005
【図４】
2016508918.tif 000006
【図５】
2016508918.tif 000007
【図６】
2016508918.tif 000008
【図７】
2016508918.tif 000009
【図８】
2016508918.tif 000010
【図９】
2016508918.tif 000011
【図１０】
2016508918.tif 000012
【図１１】
2016508918.tif 000013
【図１２】
2016508918.tif 000014
【図１３】
2016508918.tif 000015
【図１４】
2016508918.tif 000016
【図１５】
2016508918.tif 000017
【図１６】
2016508918.tif 000018
【図１７】
2016508918.tif 000019
【図１８】
2016508918.tif 000020
【国際調査報告】
2016508918.tif 000021
2016508918.tif 000022
2016508918.tif 000023
2016508918.tif 000024